【手続補正書】
【提出日】平成19年4月13日(2007.4.13)
【手続補正１】
【補正対象書類名】明細書
【補正対象項目名】特許請求の範囲
【補正方法】変更
【補正の内容】
【特許請求の範囲】
【請求項１】積層品または多層構造物における接着層として使用するのに適当な安定化された接着剤組成物であって、
（ａ）感圧接着剤、ゴムを基剤とする接着剤、溶剤またはエマルジョンを基剤とする接着剤、ホットメルト接着剤および天然物を基剤とする接着剤よりなる群から選択される接着剤、
及び該接着剤（ａ）が
（ｉ）ポリウレタン；
（ｉｉ）ポリアクリル樹脂；
（ｉｉｉ）エポキシ樹脂；
（ｉｖ）フェノール樹脂；
（ｖ）ポリイミド；
（ｖｉ）ポリ（ビニルブチラール）；
（ｖｉｉ）ポリシアノアクリレート；
（ｖｉｉｉ）ポリアクリレート；
（ｉｘ）エチレン／アクリル酸コポリマーおよびその塩（アイオノマー）；
（ｘ）シリコンポリマー；
（ｘｉ）ポリ（エチレン／酢酸ビニル）；
（ｘｉｉ）アタクチックポリプロピレン；
（ｘｉｉｉ）スチレン−ジエンコポリマー；
（ｘｉｖ）ポリアミド；
（ｘｖ）ヒドロキシル基を末端基とするポリブタジエン；
（ｘｖｉ）ポリクロロプレン；
（ｘｖｉｉ）ポリ（酢酸ビニル）；
（ｘｖｉｉｉ）カルボキシル化スチレン／ブタジエンコポリマー；
（ｘｉｘ）ポリ（ビニルアルコール）；および
（ｘｘ）ポリエステルよりなる群から選択される、並びに
（ｂ）  高溶解性、高モル吸光性および光安定の、下記式Ｉ、ＩＩ、ＩＩＩ、ＩＶ、ＶまたはＶＩで表されるｓ−トリアジン紫外線吸収剤またはそれらの混合物：
【化１】
2002543265.tif 000001
【化２】
2002543265.tif 000002
［式中、  ＸおよびＹは独立して、フェニル基、ナフチル基、または、１ないし３個の炭素原子数１ないし６のアルキル基により、ハロゲン原子により、ヒドロキシ基により、または炭素原子数１ないし６のアルコキシ基によりもしくはこれら基の混合により置換された前記フェニル基または前記ナフチル基を表すか；或いはＸおよびＹは独立して、Ｚ1ま
たはＺ2を表し；
Ｒ1は水素原子、直鎖もしくは枝分かれ鎖の炭素原子数１ないし２４のアルキル基、炭素
原子数５ないし１２のシクロアルキル基、炭素原子数７ないし１５のフェニルアルキル基、ハロゲン原子、−ＳＲ3、−ＳＯＲ3または−ＳＯ2Ｒ3を表すか；或いは１ないし３個のハロゲン原子、−Ｒ4、−ＯＲ5、−Ｎ（Ｒ5）2，−ＣＯＲ5，−ＣＯＯＲ5，−ＯＣＯＲ5
，−ＣＮ，−ＮＯ2，−ＳＲ5，−ＳＯＲ5，−ＳＯ2Ｒ5  もしくは−Ｐ（Ｏ）（ＯＲ5）2
、モルホリニル基、ピペリジニル基、２，２，６，６−テトラメチルピペリジニル基、ピペラジニル基、またはＮ−メチルピペリジニル基またはそれらの組合せにより置換された前記アルキル基または前記シクロアルキル基または前記フェニルアルキル基；或いは１ないし４個のフェニレン基、−Ｏ−，−ＮＲ5−，−ＣＯＮＲ5−，−ＣＯＯ−，−ＯＣＯ−もしくは−ＣＯ−基またはそれらの組合せにより中断された前記アルキル基または前記シクロアルキル基；或いは上述の基の組合せにより置換および中断の両方がなされている前記アルキル基または前記シクロアルキル基を表し；
Ｒ3は炭素原子数１ないし２０のアルキル基、炭素原子数３ないし１８のアルケニル基、
炭素原子数５ないし１２のシクロアルキル基、炭素原子数７ないし１５のフェニルアルキル基、炭素原子数６ないし１０のアリール基、または１または２個の炭素原子数１ないし４のアルキル基により置換された前記アリール基を表し；
Ｒ4は炭素原子数６ないし１０のアリール基、または１ないし３個のハロゲン原子、炭素
原子数１ないし８のアルキル基、炭素原子数１ないし８のアルコキシ基、もしくはそれらの組合せにより置換された前記アリール基；炭素原子数５ないし１２のシクロアルキル基；炭素原子数７ないし１５のフェニルアルキル基または、フェニル環上で１ないし３個の
ハロゲン原子、炭素原子数１ないし８のアルキル基、炭素原子数１ないし８のアルコキシ基もしくはそれらの組合せにより置換された前記フェニルアルキル基；或いは直鎖もしくは枝分かれ鎖の炭素原子数２ないし１８のアルケニル基を表し；
Ｒ5はＲ4で定義された基を表すか、またはＲ5はまた、水素原子または直鎖もしくは枝分
かれ鎖の炭素原子数１ないし２４のアルキル基、炭素原子数２ないし２４のアルケニル基をも表し；或いはＲ5は式
【化３】
2002543265.tif 000003
（式中、Ｔは水素原子、オキシル基、ヒドロキシル基、−ＯＴ1、炭素原子数１ないし２
４のアルキル基、１ないし３個のヒドロキシ基により置換された前記アルキル基；ベンジル基または炭素原子数２ないし１８のアルカノイル基を表し；Ｔ1は炭素原子数１ないし
２４のアルキル基、炭素原子数５ないし１２のシクロアルキル基、炭素原子数２ないし２４のアルケニル基、炭素原子数５ないし１２のシクロアルケニル基、炭素原子数７ないし１５のフェニルアルキル基、炭素原子数７ないし１２の飽和または不飽和化二環式または三環式炭化水素の基、或いは炭素原子数６ないし１０のアリール基または１ないし３個の炭素原子数１ないし４のアルキル基により置換された前記アリール基を表す。）で表される基を表し；
Ｒ2は水素原子、直鎖または枝分かれ鎖の炭素原子数１ないし２４のアルキル基または炭
素原子数５ないし１２のシクロアルキル基；または、１ないし４個のハロゲン原子、エポキシ基、グリシジル基、フリルオキシ基、−Ｒ4，−ＯＲ5，−Ｎ（Ｒ5）2、−ＣＯＮ（Ｒ5）2、−ＣＯＲ5，−ＣＯＯＲ5，−ＯＣＯＲ5，−ＯＣＯＣ（Ｒ5）＝Ｃ（Ｒ5）2、−Ｃ（Ｒ5）＝ＣＣＯＯＲ5，−ＣＮ，−ＮＣＯ、もしくは
【化４】
2002543265.tif 000004
またはこれらの組合せにより置換された前記アルキル基または前記シクロアルキル基；或いは１ないし４個のエポキシ基、−Ｏ−、−ＮＲ5−、−ＣＯＮＲ5−、−ＣＯＯ−、−ＯＣＯ−、−ＣＯ−、−Ｃ（Ｒ5）＝Ｃ（Ｒ5）ＣＯＯ−、−ＯＣＯＣ（Ｒ5）＝Ｃ（Ｒ5）−、−Ｃ（Ｒ5）＝Ｃ（Ｒ5）−、フェニレン基もしくは基：フェニレン−Ｇ−フェニレン（式中、Ｇは−Ｏ−、−Ｓ−、−ＳＯ2−、−ＣＨ2−もしくは−Ｃ（ＣＨ3）2−またはそれらの組合せを表す。）で中断された前記アルキル基または前記シクロアルキル基；或いは上述された基の組合せにより置換および中断の両方がなされた前記アルキル基または前記シクロアルキル基を表すか；
或いはＲ2は−ＳＯ2Ｒ3または−ＣＯＲ6を表し；
Ｒ6は直鎖または枝分かれ鎖の炭素原子数１ないし１８のアルキル基、直鎖または枝分か
れ鎖の炭素原子数２ないし１２のアルケニル基、フェノキシ基、炭素原子数１ないし１２のアルキルアミノ基、炭素原子数６ないし１２のアリールアミノ基、−Ｒ7ＣＯＯＨまた
は−ＮＨ−Ｒ8−ＮＣＯを表し；
Ｒ7は炭素原子数２ないし１４のアルキレン基またはフェニレン基を表し；
Ｒ8は炭素原子数２ないし２４のアルキレン基、フェニレン基、トリレン基、ジフェニル
メタン基または基
【化５】
2002543265.tif 000005
を表し；
Ｒ1，Ｒ1’、およびＲ1”は同じかまたは異なり、そしてＲ1に対する定義と同じであり；Ｒ2、Ｒ2’，およびＲ2”は同じかまたは異なり、そしてＲ2に対する定義と同じであり；Ｘ、Ｘ’，ＹおよびＹ’は同じかまたは異なり、そしてＸおよびＹに対する定義と同じであり；
ｔは０ないし９であり；
Ｌは直鎖もしくは枝分かれ鎖の炭素原子数１ないし１２のアルキレン基、炭素原子数５ないし１２のシクロアルキレン基、またはシクロヘキシレン基またはフェニレン基により置換または中断されたアルキレン基を表すか；或いはＬはベンジリデン基を表すか；或いはＬは−Ｓ−、−Ｓ−Ｓ−、−Ｓ−Ｅ−Ｓ−、−ＳＯ−、−ＳＯ2−、−ＳＯ−Ｅ−ＳＯ−
、−ＳＯ2−Ｅ−ＳＯ2−、−ＣＨ2−ＮＨ−Ｅ−ＮＨ−ＣＨ2−または
【化６】
2002543265.tif 000006
を表し；
Ｅは炭素原子数２ないし１２のアルキレン基、炭素原子数５ないし１２のシクロアルキレン基または炭素原子数５ないし１２のシクロアルキレン基で中断または停止されたアルキレン基を表し；
ｎは２，３または４を表し；
ｎが２を表す場合には；
Ｑは直鎖もしくは枝分かれ鎖の炭素原子数２ないし１６のアルキレン基；または１ないし３個のヒドロキシ基により置換された前記アルキレン基；または１ないし３個の−ＣＨ＝ＣＨ−または−Ｏ−により中断された前記アルキレン基；または上述した基の組合せにより置換および中断の両方がなされた前記アルキレン基を表し；或いはＱはキシリレン基または基−ＣＯＮＨ−Ｒ8−ＮＨＣＯ−、−ＣＨ2ＣＨ（ＯＨ）ＣＨ2Ｏ−Ｒ9−ＯＣＨ2ＣＨ
（ＯＨ）ＣＨ2−、−ＣＯ−Ｒ10−ＣＯ−または−（ＣＨ2）m−ＣＯＯ−Ｒ11−ＯＯＣ−
（ＣＨ2）m−（式中、ｍは１ないし３を表す。）を表すか；或いはＱは
【化７】
2002543265.tif 000007
を表し
Ｒ9は炭素原子数２ないし５０のアルキレン基；または１ないし１０個の−Ｏ−、フェニ
レン基、または基：−フェニレン−Ｇ−フェニレン−（式中、Ｇは−Ｏ−、−Ｓ−、−ＳＯ2−、−ＣＨ2−または−Ｃ（ＣＨ3）2−を表す。）により中断された前記アルキレン基を表し；
Ｒ10は炭素原子数２ないし１０のアルキレン基、または１ないし４個の−Ｏ−、−Ｓ−または−ＣＨ＝ＣＨ−で中断された前記アルキレン基を表すか；或いはＲ10は炭素原子数６ないし１２のアリーレン基を表し；
Ｒ11は炭素原子数２ないし２０のアルキレン基または１ないし８個の−Ｏ−により中断された前記アルキレン基を表し；
ｎが３を表す場合、Ｑは基−［（ＣＨ2）mＣＯＯ］3−Ｒ12（式中、ｍは１ないし３を表
し、そしてＲ12は炭素原子数３ないし１２のアルカントリイル基を表す。）を表し；
ｎが４を表す場合、Ｑは基−［（ＣＨ2）mＣＯＯ］4−Ｒ13（式中、ｍは１ないし３を表
し、そしてＲ13は炭素原子数４ないし１２のアルカンテトライル基を表す。）を表し；
Ｚ1は式
【化８】
2002543265.tif 000008
で表される基を表し；
Ｚ2は式
【化９】
2002543265.tif 000009
で表される基を表し（式中、ｒ1およびｒ2はそれぞれ互いに独立して０または１を表す。）；
Ｒ14、Ｒ15、Ｒ16、Ｒ17、Ｒ18、Ｒ19、Ｒ20、Ｒ21、Ｒ22およびＲ23は互いに独立して、水素原子、ヒドロキシ基、シアノ基、炭素原子数１ないし２０のアルキル基、炭素原子数１ないし２０のアルコキシ基、炭素原子数７ないし１５のフェニルアルキル基、炭素原子数５ないし１２のシクロアルキル基、炭素原子数５ないし１２のシクロアルコキシ基、ハロゲン原子、炭素原子数１ないし５のハロアルキル基、スルホ基、カルボキシ基、炭素原子数２ないし１２のアシルアミノ基、炭素原子数２ないし１２のアシルオキシ基、炭素原子数２ないし１２のアルコキシカルボニル基またはアミノカルボニル基を表すか；或いは、Ｒ17およびＲ18またはＲ22およびＲ23はそれらが結合しているフェニル基と一緒になって１ないし３個の−Ｏ−または−ＮＲ5−によって中断された環状基を表す。］からなる
安定化された接着剤組成物。
【請求項２】さらに、酸化防止剤、他の紫外線吸収剤、立体障害性アミン、ホスフイット又はホスホナイト、ヒドロキシルアミン、ニトロン、ベンゾフラン−２−オン、チオ相乗剤、ポリアミド安定剤、金属ステアレート、核剤、充填剤、補強剤、潤滑剤、乳化剤、染料、顔料、蛍光増白剤、難燃剤、帯電防止剤および発泡剤よりなる群から選択される補助添加剤を接着剤に基づいて０．０１ないし１０重量％含む請求項１記載の組成物。
【請求項３】任意の補助添加剤が、可塑剤、定着剤、ワックス、石油ワックス、エラストマー、粘着付与剤樹脂、オイル、樹脂、ポリマー、ロジン、変性ロジンもしくはロジン誘導体、炭化水素樹脂、テルペン樹脂、パラフィン蝋、マイクロクリスタリンワックス、合成硬蝋および／またはポリエチレンワックスよりなる群から選択される請求項１記載の組成物。
【請求項４】積層品または多層構造物中の接着層として使用するのに適当な接着剤組成物の安定化のための請求項１記載の前記式Ｉ、ＩＩ、ＩＩＩ、ＩＶ、ＶもしくはＶＩで表される高溶解性、高モル吸光性、光安定のｓ‐トリアジン紫外線吸収剤またはその混合物の使用。